(57)【要約】【課題】配管設備が容易であると共に配管後の補修も可能で作業の不具合が発生しない二重配管用保護管の連結構造を提供する。【解決手段】連結用保護管１の一の側端部の外周面又は内周面に接続用螺子部を形成して接続する保護管７と螺合連結可能とする。連結用保護管１の他方の側端部に鍔部３を形成すると共に、接続する保護管８を管内に挿通可能とする。前記鍔部３の外周端面に相対する周面を有すると共に、接続する保護管８と摺動可能な透孔５を有する環体４、及びＯリング６を用いて、環体４及びＯリング６を嵌挿した接続する保護管８を、鍔部３を形成した側端部から挿通して長さを調節する。環体４と前記鍔部３の外周端面とをＯリング６を介して締着し、この挟圧によって生じるＯリング６の変形により一方の保護管８を把持固定する。【選択図】  図１
2012097861.tif 000002
【特許請求の範囲】
【請求項１】
一の側端部の外周面又は内周面に接続用螺子部を形成して接続する保護管と螺合連結可能とし、他方の側端部に鍔部を形成すると共に、接続する保護管を管内に挿通可能とした連結用保護管と、前記鍔部の外周端面に相対する周面を有すると共に、接続する保護管と摺動可能な透孔を有する環体、及びＯリングより成り、環体及びＯリングを嵌挿した接続する保護管を、鍔部を形成した側端部から挿通して長さを調節し、環体と前記鍔部の外周端面とをＯリングを介して締着し、この挟圧によって生じるＯリングの変形により、一方の保護管を把持固定することを特徴とする二重配管用保護管の連結構造。
【請求項２】
保護管の内部が透視可能であることを特徴とする請求項１記載の二重配管用保護管の連結構造。
【請求項３】
ドレーン口を有することを特徴とする請求項１又は２記載の二重配管用保護管の連結構造。
【発明の詳細な説明】
【技術分野】
【０００１】
本発明は化学液や各種処理廃棄液等の各工程装置間等の搬送や、液体の供給に配設する二重配管用保護管の連結構造に関するものである。
【背景技術】
【０００２】
化学溶液や各種処理廃液等の装置間の搬送には配管を施設して行っているのであり、その場合、管を二重として実際に液が通る主管に液漏水が生じても被包する保護管によって外部への流出を防止するのが好ましく、又主管の保護管として安全上からも要請されるところである。
【０００３】
しかし、現実の配管はフレキシブルなホースを保護管として二重管を構成したもの、樋状の受皿内に主管を載置する構成が採用されている。
さらに、直線部及びエルボ部を共に主管と保護管の二重構造とし、適宜箇所に中央部の透孔に主管が挿着されると共に、保護管の内周壁に周端面が当接するセンタリングスペーサを配置したものもある。
【先行技術文献】
【特許文献】
【０００４】
【特許文献１】特開２００１−２００９８０
【特許文献２】特開２００４−１０８５６８
【発明の概要】
【発明が解決しようとする課題】
【０００５】
二重配管で作業上問題となる点は、保護管は主管と周囲に空間を形成して被覆して配管するものであるから、長さを主管に合わせて形成する必要があること、その配管設備を容易に行なえること、主管を保護すると共に主管の液漏れが外部に及ばないように阻止できること、主管や保護管の補修が容易に行なえるような構造であること等が求められている。
【０００６】
そこで、本発明は配管設備が容易であると共に配管後の補修も可能で作業の不具合が発生しない二重配管用保護管の連結構造を提供することを目的とする。
【課題を解決するための手段】
【０００７】
本発明の請求項１に係る二重配管用保護管の連結構造は、一の側端部の外周面又は内周面に接続用螺子部を形成して接続する保護管と螺合連結可能とし、他方の側端部に鍔部を形成すると共に、接続する保護管を管内に挿通可能とした連結用保護管と、前記鍔部の外周端面に相対する周面を有すると共に、接続する保護管と摺動可能な透孔を有する環体、及びＯリングより成り、環体及びＯリングを嵌挿した接続する保護管を、鍔部を形成した側端部から挿通して長さを調節し、環体と前記鍔部の外周端面とをＯリングを介して締着し、この挟圧によって生じるＯリングの変形により、一方の保護管を把持固定することを特徴とするものである。
【０００８】
請求項２に係る本発明の二重配管用保護管の連結構造は、請求項１において、保護管の内部が透視可能であることを特徴とするものである。
【０００９】
請求項３に係る本発明の二重配管用保護管の連結構造は、請求項１又は２において、ドレーン口を有することを特徴とするものである。
【発明の効果】
【００１０】
請求項１の発明は、一の側端部は接続用螺子部で接続する保護管と螺合して連結固定でき、他方の側端部は環体及びＯリングを嵌挿した接続する保護管を、鍔部を形成した側端部から管内に挿通して主管の長さと一致するように調節し、環体と前記鍔部の外周端面とをＯリングを介して締着することで、この挟圧によってＯリングに変形が生じて内外に伸びる結果、接続する保護管に密着して把持固定することができるものである。
したがって、容易に主管の長さに一致させて保護管を接続することが出来ると同時に、両端の接続部共に連結部を接着すること無く隙間の発生を防止して連結できる効果を発揮するものである。
【００１１】
また、環境によって、主管と保護管の長さに長短の不具合が生じた場合に、環体と鍔部の外周端面との締着を緩めて両管の摺動を可能として主管の長さ関係を微調整して再度締着することで、容易に不具合を解消することができる効果を有する。
【００１２】
更に、締着を緩めて両管の摺動を可能とし他端の螺合接続部を解除すれば、該部端の接続口が開放されるため、この開放口を利用して補修作業をすることができる効果も発揮するものである。
【００１３】
請求項２の発明は請求項１の効果に加え、保護管の内部が透視可能としたため、主管に生じた液漏れの発見や外観の観察が容易に可能となる効果を有する。
【００１４】
請求項３の発明は請求項１又は２の効果に加え、保護管にドレーン口を有するため、主管から漏れた液の確認と容易に排出回収できる効果を有する。
【図面の簡単な説明】
【００１５】
【図１】本発明の一実施の形態を示す正面図である。
【図２】図１の要部拡大断面図である。
【図３】本発明の連結用保護管の正面図である。
【図４】本発明の環体の側面図である。
【発明を実施するための形態】
【００１６】
本発明の一実施の形態を図面に基づいて説明する。
図１は本発明の二重配管用保護管の連結構造の一実施の形態を示す正面図であり、主管Ａと、主管の周囲に空間を形成して被覆した保護管の内外の二重配管で構成され、材質としては塩化ビニールのものが普及している。
【００１７】
そして、本発明の対象である保護管の連結構造は、一の側端部の外周面に接続用螺子部２を形成して接続する保護管７と螺合連結可能とし、他方の側端部に鍔部３を形成すると共に、接続する保護管８を管内に挿通可能とした連結用保護管１と、前記鍔部３の外周端面に相対する周面を有すると共に、接続する保護管８と摺動可能な透孔５を有する環体４、及びＯリング６より構成される。
【００１８】
連結用保護管１の接続用螺子部２は、保護管本体の一端に嵌合した口部２１の突起筒２２の外周に形成してあり、一方、接続する保護管７（実施例の図面ではエルボー管）の接続端に嵌合した口部７１の内周には螺子部が形成され、この両螺子部が螺合して連結される。
口部２１及び７１は何れも保護管１又は７に接着され一体と成っている。
また、上記の螺合においてパッキンを介在して行なえば、より密着性を高めて該螺合部から液の漏洩を完璧に防止できる。
【００１９】
連結用保護管１の他方の側端部の鍔部３は、該当端部に嵌合した口部３１の端面孔の外周に突設したドーナッツ状に形成され、鍔部３には厚さ方向に定間隔に締着用孔３２が複数設けられている。
この鍔部３側に接続する保護管８は、上記口部３１の端面孔に軽く摺擦して貫通し、連結用保護管１内に挿通可能な外径を有し、保護管８の他端は図面ではエルボー管に連結固定されている。
【００２０】
環体４は前記鍔部３の外周端面に相対する周面を有すると共に、当該面の透孔５に沿ってＯリング６を係止する段部４１が、Ｏリング６の外径より浅く形成されている。
また、鍔部３の厚さ方向に定間隔に設けられた各締着用孔３２に対応する締着用孔４２が複数設けられ、互い当着して重なる締着用孔３２、４２にボルト９１を挿入してナット９２を螺合して締着するものである。
【００２１】
Ｏリング６は接続する保護管８と摺動可能な内径を有し、断面が円形のゴム又は軟質のプラスチック製で、押圧すると潰れ断面が楕円状に変形する。
前記環体４の段部４１にＯリング６は鍔部３と相対する周面から突出して係止されるため、鍔部３との挟圧によって当接面を密閉すると共に、潰れて円心側に変形し保護管に密着すると共に強く挟持する作用を呈する。
【００２２】
そこで、環体４及びＯリング６を嵌挿した接続する保護管８を、鍔部３を形成した側端部から挿通して被覆する主管Ａと一致するように連結用保護管１内に挿通する長さを調節した後、環体４と鍔部３の外周端面間にＯリング６を挟み、環体４と前記鍔部３との重なる締着用孔３２、４２にボルト９１を挿入してナット９２を螺合して締着すれば、この挟圧によって生じるＯリング６が変形して保護管８に強く密着して把持固定するものである。
【００２３】
したがって、連結用保護管１の一端は保護管７と螺合によって、他端は保護管８と長さ調節自在に連結され、何れもその連結部から主管Ａから漏れた液が保護管外へ漏洩する虞がない結合となるもので、従来のように連結部を更に接着剤で固める必要はない。
尚、連結は保護管７との螺合による連結から先に行なえばよい。
【００２４】
そして、配管設備設置後であっても、鍔部３側の締着しているナット９２を緩めれば保護管８がスライド可能となって、保護管８の長さの再調節を行なうことができる。
また、鍔部３側の締着しているナット９２を緩めた状態で、連結保護管１の回動且つ保護管８と摺動しての横移動も自由であるから、他端側の螺合による結合を分離して互いの端部を開口して清掃等に利用することもできる。
【００２５】
図面において、連結用保護管１を透明材で形成しておけば、主管Ａに生じた液漏れの発見や外観の観察が容易に確認できるようになる。
また、ドレーン口１０は主管Ａより漏れた液を貯留して回収するのに利用でする。
【００２６】
以上のように、本発明を図面に基づいて説明した実施の形態における具体的構成は一例であり、同様の作用効果を得られる他の構成又は手段を排除するものではない。
【符号の説明】
【００２７】
１                連結用保護管
２                接続用螺子部
３                鍔部
４                環体
５                透孔
６                Ｏリング
７、８            保護管
１０              ドレーン口
２１、３１、７１  口部
２２              突起筒
３２、４２        締着用孔
４１              段部
９１              ボルト
９２              ナット
【図１】
2012097861.tif 000003
【図２】
2012097861.tif 000004
【図３】
2012097861.tif 000005
【図４】
2012097861.tif 000006